(57)【特許請求の範囲】
【請求項１】
多数の開孔を有するシート状の透水性第１フィルター層と、前記第１フィルター層に接合し、前記開孔をまたいで互いに並行して延びる多数のフィラメントからなる透水性第２フィルター層とによって構成され、前記第１フィルター層が内側となり、前記第２フィルター層が外側となるように、これら両フィルター層で袋が形成されていることを特徴とするフィルター。
【請求項２】
多数の開孔を有するシート状の透水性第１フィルター層と、前記第１フィルター層に接合し、前記開孔をまたいで互いに並行して延びる多数のフィラメントからなる透水性第２フィルター層とによって構成され、前記第１フィルター層が外側となり、前記第２フィルター層が内側となるように、これら両フィルター層で袋が形成されていることを特徴とするフィルター。
【請求項３】
多数の開孔を有するシート状の透水性第１フィルター層と、前記第１フィルター層に接合し、前記開孔をまたいで互いに並行して延びる多数のフィラメントからなる透水性第２フィルター層とによって構成され、前記第１フィルター層が前記第２フィルター層の両面に積層されており、これら積層されたフィルター層で袋が形成されていることを特徴とするフィルター。
【請求項４】
前記第１フィルター層が不織布、開孔フィルムおよびネットのいずれかである請求項１〜３のいずれかに記載のフィルター。
【請求項５】
前記第１フィルター層と第２フィルター層とが間欠的に接合している請求項１〜４のいずれかに記載のフィルター。
【発明の詳細な説明】
【０００１】
【発明の属する技術分野】
この発明は、流しの廃水等を濾過するのに好適なフィルターに関する。
【０００２】
【従来の技術】
従来、流しの排水孔にセットして使用するフィルターで、ネットや目の粗い不織布等の透水性シートでできた袋状のものは周知である。
【０００３】
【発明が解決しようとする課題】
家庭の流しで廃水とともに処理される厨芥はその大きさが一定しないから、使用するフィルターによっては、使用後間もないものが小さな厨芥で目詰りし、すぐに交換しなければならなくなったり、大きな厨芥は捕集できても小さな厨芥が流出してしまい、フィルターを使用した効果を奏さなかったりすることがある。こうした従来のフィルターでは、濾過速度を犠牲にすることなく、小さな厨芥と大きな厨芥とを同時に捕集することは難しい。
【０００４】
この発明の課題は、従来のフィルターのこのような難点を解消することにある。
【０００５】
【課題を解決するための手段】
前記課題を解決するためのこの発明は、第１，第２，第３発明から構成される。第１発明が要旨とするところは、多数の開孔を有するシート状の透水性第１フィルター層と、前記第１フィルター層に接合し、前記開孔をまたいで互いに並行して延びる多数のフィラメントからなる透水性第２フィルター層とによって構成され、前記第１フィルター層が内側となり、前記第２フィルター層が外側となるように、これら両フィルター層で袋が形成されていることを特徴とするフィルターにある。
【０００６】
第２発明が要旨とするところは、多数の開孔を有するシート状の透水性第１フィルター層と、前記第１フィルター層に接合し、前記開孔をまたいで互いに並行して延びる多数のフィラメントからなる透水性第２フィルター層とによって構成され、前記第１フィルター層が外側となり、前記第２フィルター層が内側となるように、これら両フィルター層で袋が形成されていることを特徴とするフィルターにある。
【０００７】
第３発明が要旨とするところは、多数の開孔を有するシート状の透水性第１フィルター層と、前記第１フィルター層に接合し、前記開孔をまたいで互いに並行して延びる多数のフィラメントからなる透水性第２フィルター層とによって構成され、前記第１フィルター層が前記第２フィルター層の両面に積層されており、これら積層されたフィルター層で袋が形成されているフィルターにある。
【０００８】
この発明の好ましい実施態様において、前記第１フィルター層が不織布、開孔フィルムおよびネットのいずれかである。
【０００９】
実施態様の他の一つにおいて、前記第１フィルター層と第２フィルター層とが間欠的に接合している。
【００１０】
【発明の実施の形態】
添付の図面を参照して、この発明に係るフィルターの詳細を説明すると、以下のとおりである。
【００１１】
図１、２は、袋状に作られたフィルター１の部分破断斜視図と、フィルター１を側縁部１７で双頭矢印Ａ−Ａ方向へ切り開いて得られる部分破断展開図である。フィルター１は、家庭用の流しの排水孔で使用するのに好適なもので、図２に示す縦に長い矩形のシート２が長さを２等分する中心線Ｃ−Ｃに沿って折り重ねられ、重なり合うシート２の側縁部１７どうしが上下へ延びる線３において接合している。フィルター１は、頂部開口４と、互いに向かい合う一対の側壁６とを有し、フィルター１の両側縁部１７外面には、補強シート１６が接合している。
【００１２】
シート２は、透水性シート５からなる内層７と、フィルター１の上下方向へ互いに並行して延びる多数のフィラメント８からなる外層９とを有する複合シートである。透水性シート５には、透水性の織布や不織布、開孔プラスチックフィルム、ネット等が使用されるが、好ましくは熱可塑性合成繊維を４０重量％以上含む熱溶着性かつ透水性の不織布、より好ましくは、かかる不織布であって、所要径の開孔１０を多数有するものが使用される。フィラメント８には、熱可塑性合成繊維のトウをよくほぐしたものが使用され、好ましくは、フィラメント８が捲縮している状態にある熱溶着性のトウが使用される。図示例において、シート２の縦横の寸法はＬ，Ｗであって、このシート２を形成している透水性シート５とフィラメント８とは、シート２の縦方向へ間欠的に並ぶ傾斜した接合線１１において互いに溶着している。補強シート１６は、フィルター１の側縁部１７でフィラメント８が毛羽立つのを抑えるためのもので、接合線３と１１とによってフィルター１の外面に接合している。補強シート１６には、不透水性シートの使用も可能であるが、好ましくは透水性の不織布や開口フィルム、ネット等が使用される。
【００１３】
このような構成のフィルター１では、廃水が透水性シート５からなる内層７によって濾過され、次にフィラメント８からなる外層９によって濾過される。内層７では、繊維間隙や開孔１０の径の大きさによって捕集可能な厨芥の大きさが決まる。それらの間隙や開孔１０が厨芥で塞がれると、内層７における水の通過可能な面積が減少して濾過速度が遅くなる。外層９では、廃水が多数のフィラメント８の間を流路として屈曲しながら流れるときに、厨芥がフィラメント８に引掛かり捕集されるが、フィラメント８どうしは様々な流路を形成しているので、厨芥を捕集しても、廃水の濾過速度は直ちに遅くなるということがない。それゆえ、フィルター１では、例えば、内層７において繊維間隙や開孔１０を比較的大きくして、大きな厨芥のみを捕集し、外層９においては、フィラメント８の本数を多くし、かつ、密に接触させて小さな厨芥を捕集すると、廃水の濾過速度を犠牲にすることなく、大小様々な厨芥を捕集することができる。フィラメント８が捲縮しているものである場合には、直状のものである場合に比べ、細かな厨芥を容易に捕集することができる。
【００１４】
ただし、この発明では、内層７にフィラメント８を使用し、外層９に不織布や開孔フィルム、ネット等の透水性シートを使用することもできる。互いに並行して延びるフィラメント８は、それらの長手方向において隣り合う接合部位間の距離Ｐ（図１参照）を長くしたり、短くしたりすることによって、隣り合うフィラメント８どうしの離隔可能な寸法を大きくしたり、小さくしたりすることができる。これらのフィラメント８は、距離Ｐを長くすれば大きな厨芥を捕集するのに適したものになり、距離Ｐを小さくすれば小さな厨芥を捕集するのに適したものになる。距離Ｐをできるだけ大きくするために、フィラメント８をその両端部だけで透水性シート５に接合してもよい。また、図１の態様のフィルター１において、フィラメント８からなる外層９のさらに外側に内層７として使用したような透水性シート５を設け、フィラメント８をサンドウィッチ状に挟むことによってこの発明を実施することもできる。フィルター１のこれらの態様のうちのどれを採るべきかは、捕集すべき厨芥の形状等によって決められる。
【００１５】
フィルター１の具体例を挙げれば、シート２にはＬとＷとが５７０ｍｍと２１５ｍｍとのものを使用して袋を作る。また、透水性シート５には、坪量が２５ｇ／ｍ２のポリプロピレン繊維のスパンボンド不織布を使用し、フィラメント８には、繊度３ｄの捲縮したＰＥＴ繊維を坪量８２ｇ／ｍ２の割合で使用する。透水性のシート５の開孔１０は、例えば縦横の中央部に位置するｘとｙとの寸法が２７０ｍｍと１１０ｍｍとからなる範囲に直径７ｍｍのものであれば１５４ケ，直径１０ｍｍのものであれば６０ケ形成する。ただし、かかる開孔１０の要否とその大きさと、それを形成すべき範囲とは、シート５で捕集しようとする厨芥の大きさによって定めるべき事項である。フィラメント８は、透水性シート５の繊維間隙をまたぎ、シート２に開孔１０があるときにはその開孔１０をもまたいで延びるように、シート５に対して溶着する。
【００１６】
このようにして作られたフィルター１では、茶葉１０ｇを含む１５００ｌの水を濾過するときの時間が約３０〜２５秒であり、茶葉の約８９〜８８重量％を捕集することができた。一方、フィルター１に使用した透水性シート５だけからなる対比のためのフィルターでは、濾過時間が２７〜２４秒であり、茶葉の約５８〜３７重量％を捕集することができた。これらの結果は、フィルター１が濾過性能に優れていることを示している。
【００１７】
この発明に係るフィルター１は、シート２を図示例のような袋状のものに加工することなく、シートそのままの形で使用することもできる。シート２では、側縁部１７の外面に取り付けた補強シート１６を省くこともできる。フィルター１の用途は、厨芥を捕集するためのものだけに限らない。
【００１８】
【発明の効果】
この発明に係るフィルターは、多数の開孔を有する透水性シートからなる第１フィルター層と、多数のフィラメントからなる第２フィルター層とが重なり合い、互いに接合することによってできているので、例えば第１フィルター層で廃水中の大きなごみを捕集し、第２フィルター層で小さなごみを捕集することによって、廃水の濾過時間を犠牲にすることなく大小のごみを捕集することができる。
【図面の簡単な説明】
【図１】フィルターの部分破断斜視図。
【図２】フィルターの部分破断展開図。
【符号の説明】
１    フィルター
４    開口
５    透水性シート
７    第１フィルター層（内層）
８    フィラメント
９    第２フィルター層（外層）
１０    開孔
【図１】
0003623375.tif 000002
【図２】
0003623375.tif 000003